(57)【特許請求の範囲】
【請求項１】
家具や建具等に設けられた把手を操作して、閉状態にある扉のロックを解除できる扉の把手装置において、前記把手の操作に連動する第１ユニット及び第２ユニット、並びに前記第１ユニットと前記第２ユニットとを連結するシャフトを備え、前記第１ユニットは、前記把手に対する外部からの操作によって摺動運動する第１摺動体と、該第１摺動体の摺動に応じて前記ロックを解除するとともに、前記シャフトに回転運動を付与するギヤ機構とを備え、前記第２ユニットは、前記操作によって摺動運動する第２摺動体と、該第２摺動体に係合するとともに、前記シャフトに前記回転運動と同一方向の回転運動を付与するカム体とを備えてなることを特徴とする扉の把手装置。
【請求項２】
前記第１ユニットのギヤ機構は、前記第１摺動体の摺動に応じて回転運動するための係合突設部を設け、且つ、該回転運動を前記シャフトに伝達するための該シャフトの嵌合口を設けた第１ギヤと、該第１ギヤの回転運動に応じてスライドする第１ラックギヤ部を設け、且つ、前記スライドに伴って解除される前記ロックの、一方の係合部位である係合突体を設けたラッチとを備えてなることを特徴とする請求項１に記載の扉の把手装置。
【請求項３】
前記第２ユニットのカム体は、前記第２摺動体の摺動に応じて回転運動するための係合突設部が設けられ、且つ、該回転運動を前記シャフトに伝達するための該シャフトの嵌合口が設けられてなることを特徴とする請求項１又は２に記載の扉の把手装置。
【請求項４】
前記第１ユニットは、前記第１摺動体の摺動に応じて回転運動するとともに、前記第１ギヤと前記第１摺動体に関し対称となる部位に配される第２ギヤと、該第２ギヤに歯合するとともに、前記ラッチに設けられた第２ラックギヤ部に歯合するアイドラＡギヤと、該アイドラＡギヤに歯合してこのアイドラＡギヤの回転運動をこの回転軸に直交する軸の回転運動に変換するアイドラＢギヤとを備え、前記第２ギヤ及びアイドラＢギヤに、前記第１ギヤの回転運動の回転方向と同一の回転運動を前記シャフトに伝達することができる該シャフトの嵌合口をそれぞれ設けてなることを特徴とする請求項２又は３に記載の扉の把手装置。
【発明の詳細な説明】
【０００１】
【発明の属する技術分野】
本発明は、家具や建具等の扉に設けられる把手装置に関し、特に、把手の取り付け位置に制約されることなく、しかも把手に対する外部からの操作にスムーズに作動する扉の把手装置に関する。
【０００２】
【従来の技術】
家具や建具等の扉に設けられる把手装置には、種々のものがあり、閉状態にある扉にロックが掛かっているときに、摘みハンドル等の把手を操作して、ロックを解除して扉を開状態にすることができるものがある。
図８は、従来の把手装置１００の外観図であり、同図（Ａ）は、扉１０１の裏面に取り付けられた状態を示す正面図で、同図（Ｂ）は、一部断面を有する同図（Ａ）の平面図である。
同図に示すように、把手装置１００を構成する本体ユニット（第１ユニット）１０２とガイドユニット（第２ユニット）１０３とは、それぞれ独立した状態で扉１０１に取り付けられ、このようなユニット１０２と１０３とは、各ユニット１０２及び１０３からそれぞれ延出した操作軸１０５及び１０６を介して摘みハンドル１０４と連結されている。そして、かかるハンドル１０４を、各操作軸１０５及び１０６に配設されたスプリング（図示せず）に抗して同図（Ｂ）中の矢印Ｐ方向に引っ張ることにより、ロックが解除されて扉１０１を開状態にすることができる。
【０００３】
ところで、扉１０１の閉状態をロックするための従来方式として、所謂カム方式が採用されており、図９は、ロックが掛かっているときの状態を、図１０は、ロックが解除されたときの状態を示している。
図９の本体ユニット１０２において、ハウジング１０７の軸受（図示せず）に軸支された支軸１０８ａを有するカム体１０８が設けられ、このカム体１０８の一端に設けられた突起１０８ｂが、操作軸１０５に取り付けられたカム操作体１０９の凹部（図示せず）に係合し、このカム体１０８の他端が、スライダ１１０の上端内壁１１０ａに当接しており、更に、スライダ１１０の下端には係合突体１１０ｂが突設されていて、係合突体１１０ｂは、家具や建具等の本体１１１に固着された係止突体１１１ａに当接しており、この状態では、閉状態にある扉１０１にロックが掛かっている。
しかるに、かかるロックを解除して扉１０１を開状態にする場合には、ハンドル１０４を図１０中の矢印Ｑ方向に引っ張ると、カム操作体１０９もこの方向に応動するので、カム操作体１０９の凹部に係合した突起１０８ｂも、矢印Ｑ方向に移動する。この移動に伴って、カム体１０８は支軸１０８ａを中心に回転し、したがって、カム体１０８の上記他端は、スライダ１１０の上端内壁１１０ａに沿って摺動する。すると、スライダ１１０が同図中の矢印Ｒ方向に移動するので、係合突体１１０ｂと係止突体１１１ａとの係合が解除されて、即ち、上記ロックが解除されて扉１０１を開状態にすることができる。
【０００４】
【発明が解決しようとする課題】
しかしながら、このような従来装置にあっては、本体ユニットとガイドユニットとが、扉にそれぞれ独立に取り付けられ、両者が摘みハンドルを介して連結されているのみであり、ハンドルに対し本体ユニット側に偏った部位で引っ張ったり、或いは、ガイドユニット側に偏った部位で引っ張ったりするなどしてハンドルに付与する操作力に偏りがあると、上記ロックの形成やその解除の際に作動不良を起こす場合があった。特に、長いハンドルのものを用いなければならない場合には、本体ユニットとガイドユニットと間の離隔が大きくならざるを得ず、上述のような作動不良を起こす頻度は尚更あった。
したがって、従来装置にあっては、本体ユニットとガイドユニットとの取付け位置は、ハンドルの長さに制約されていた（一般的にはハンドルの長さは８０ｍｍ以内とされている）。また、両ユニットがハンドルを介して一体化してなるものでは、図８に示すように本体ユニット１０２の係合突体１１０ｂを家具や建具等の本体１１１の係止突体１１１ａに係合させなければならず、ハンドルの取付け方向、即ち、所謂縦使用とするのか、或いは横使用とするのかにも制約が課せられていた。
更に、従来装置では、ロックの形成やその解除にカム方式が採用されており、カム方式おける運動の伝達の際、部材間に生じる接触摩擦抵抗は、例えば歯車接触のそれに比べ大きく、そのために、ロックの形成や解除の作動がスムーズでない場合も生じていた。
【０００５】
本発明の目的は、ハンドル等の把手の取付位置に制約を受けずに、且つ、スムーズな作動でロックの形成や解除を行うことができる扉の把手装置を提供することにある。
また、本発明の目的は、上記目的に加え、把手の取付方向に制約を受けない扉の把手装置を提供することにある。
【０００６】
【課題を解決するための手段】
前記課題を解決するために、本発明の扉の把手装置は、家具や建具等に設けられたハンドル等の把手を操作して、閉状態にある扉のロックを解除できるもので、把手に対する操作、具体的には把手に対する外部からの引っ張り操作に連動する第１ユニット及び第２ユニット、並びに第１ユニットと第２ユニットとを連結するシャフトを備え、第１ユニットは、把手に対する外部からの操作によって摺動運動する第１摺動体と、この第１摺動体の摺動に応じて動作し上記ロックを解除するとともに、上記シャフトに回転運動を付与するギヤ機構とを備えるものとし、一方、第２ユニットは、上記操作によって摺動運動する第２摺動体と、この第２摺動体に係合するカム体とでカム機構を構成し、かかるカム機構は、上記シャフトに上記回転運動と同一方向の回転運動を付与するものである。
【０００７】
本装置は、ギヤ機構で上記ロックを解除する構成をなし、しかも、第１ユニットの動力がシャフトを介して第２ユニットに伝達されると同時に、第２ユニットの動力が上記シャフトを介して第１ユニットに伝達される構成をなしている。即ち、第１ユニットにおいて、上記操作によって第１摺動体が摺動すると、この摺動に応じてギヤ機構が上記ロックを解除するとともに、上記シャフトに回転運動を付与する。第２ユニットでは、上記操作によって第２摺動体が摺動運動する一方、この摺動運動がカム機構によって回転運動に変換されるとともに、この回転運動に上記シャフトから伝達される回転運動が加わり、上記操作に基づく第２摺動体の摺動運動が上記シャフトからの動力によって補助される態様をなす。しかるに、第２摺動体の摺動運動を回転運動に変換する上述のカム機構もまた、上記シャフトに上記回転運動と同一方向の回転運動を付与する。したがって、第１ユニットにおいてもまた、第１摺動体の摺動運動が上述のギヤ機構によって変換された回転運動に、上記シャフトから伝達される回転運動が加わり、上記操作に基づく第１摺動体の摺動運動が上記シャフトからの動力によって補助される態様をなす。
これにより、把手に付与される操作力が偏っていても、第１ユニット側から第２ユニット側に、及び第２ユニット側から第１ユニット側に動力が伝達されるので、上記ロックの解除及びその形成の際に作動不良を起こすようなことはなく、また、長いハンドルのような把手を用いても、上述のような作動不良を起こすことはない。したがって、第１ユニットと第２ユニットとの取付け位置に制約が課せられることはない。
また、ロックの解除及びその形成にギヤ方式が採用されているために、ロックの解除等の作動が従来のカム方式に比べスムーズである。
【０００８】
本装置のうち第１ユニットは、上記第１摺動体とこれに係合するギヤ機構を備え、かかるギヤ機構は、第１ギヤとこれに噛合する第１ラックギヤ部が形成されたラッチとを備えており、そして、上記第１ギヤには、第１摺動体の摺動に応じて回転運動するための、第１摺動体の係合突設部に係合する係合突設部が設けられ、且つ、この回転運動を上記シャフトに伝達するためのシャフトの嵌合口が設けられ、また、上記ラッチには、上述した第１ラックギヤ部及び係合突体が設けられており、ラッチは第１ギヤの回転運動に応じてスライドし、このスライドに伴って上記係合突体が後退し、一方の係合部位であるこの係合突体と、例えば家具本体に設けられた他方の係合部位である係止突体との間で形成されていたロックが解除されるようにしたものである。この場合、第１ギヤには、その嵌合口に嵌合されたシャフトを介して第２ユニットの動力が伝達されてくることはもちろんである。
ところで、上記第１摺動体の摺動に係合して回転運動させる機構として、上述のように第１摺動体及び第１ギヤのそれぞれに係合突設部を設けてカム機構とするもの、或いはまた、レバー及び第１ギヤ間をリンクで連結してリンク機構とするものであってもよい。また、第１ギヤの回転運動に応じてラッチをスライドさせる機構としては、所謂ピニオン＆ラック機構が一般的である。
また、本体ユニットの第１摺動体にスプリング等の弾性部材を配設し、把手に引っ張り操作が加わると把手に反力を生ぜしめ、上記操作が解除されると把手、及びこれに連動する第１摺動体を元のところに復帰させるようにすれば、使用勝手が向上するので好ましい。
更に、ラッチにスプリング等の弾性部材を配設し、把手に対する引っ張り操作が解除されると、その付勢力によって係合突体が突出して、上述のロックが形成されるようにすれば、使用勝手が向上するので好ましい。
【０００９】
本装置のうち第２ユニットは、上述のようにカム機構を備えてなるものであり、カム機構を構成するカム体は、より具体的には、第２摺動体の摺動に応じて回転運動するための、第２摺動体の係合突設部に係合する係合突設部が設けられ、且つ、この回転運動を上記シャフトに伝達するためのシャフトの嵌合口が設けられてなるものである。この場合、カム体には、その嵌合口に嵌合されたシャフトを介して第１ユニットの動力が伝達されてくることはもちろんである。
ところで、第２摺動体の摺動に応じて回転運動させる機構は、上述のようなカム機構のみならずリンク機構によっても構成できる。
また、第２ユニットの第２摺動体にスプリング等の弾性部材を配設し、把手に引っ張り操作が加わると、把手に反力を生ぜしめ、上記操作が解除されると把手、及びこれに連動する第２摺動体を元のところに復帰させるようにすれば、使用勝手が向上するので好ましい。
【００１０】
また、本装置の第１ユニットは、特に、第１摺動体の摺動に応じて回転運動し、且つ、第１ギヤと第１摺動体に関し対称となる部位に配される第２ギヤと、この第２ギヤに歯合するとともに、ラッチに設けられた第２ラックギヤ部に歯合するアイドラＡギヤと、このアイドラＡギヤに歯合してアイドラＡギヤの回転運動をこの回転軸に直交する軸の回転運動に変換するアイドラＢギヤとを備え、第２ギヤ及びアイドラＢギヤに、上述した第１ギヤの回転運動の回転方向と同一の回転運動をシャフトに伝達することができる、第１ギヤの嵌合口と同様な嵌合口をそれぞれ設けてなるものである。
この場合、両ユニットがハンドルを介して一体化してなるものでも、３ヶ所の各嵌合口からは、同一回転方向の回転運動を取り出し得るので、適宜にそのうちのいずれかの嵌合口を使用すればよく、ハンドルを縦使用とするのか、或いは横使用とするのかを、上記係合突体とこれに係合する係止突体との配設位置に煩わされることなく決めることができる。
ところで、第２ギヤを第１摺動体の摺動に応じて回転運動させる機構としては、上述のように、第１摺動体及び第２ギヤのそれぞれに係合突設部を設けてカム機構とするもの等があり、また、アイドラＡギヤの回転運動をこの回転軸に直交する軸の回転運動に変換する機構としては、傘歯車列が一般的である。
【００１１】
【発明の実施の形態】
本発明の実施の形態の一例を図１〜６を参照して説明する。
本実施の形態に係る把手装置１は、図１に示すように、本体ユニット（第１ユニット）２及びガイドユニット（第２ユニット）３、並びに本体ユニット２とガイドユニット３とを連結するシャフト４を備えている。そして、本体ユニット２及びガイドユニット３は、扉５の裏面５ａにそれぞれビス等によって取り付けられ、各ユニット２及び３からそれぞれ延出した操作軸６及び７を介して扉５の表面５ｂに配される摘みハンドル（把手）８に取り付けられている。
尚、同図（Ａ）は、扉５の裏面５ａに取り付けられたところを示す正面図で、本体ユニット２の後述する係合突体１３ａが、家具本体９の係止突体９ａに係合して、扉５がロックされているところを示しており、同図（Ｂ）は、一部断面を有する同図（Ａ）の平面図である。
【００１２】
上記本体ユニット２は、図２に示すように、ケース１０内に、レバー（第１摺動体）１１、第１ギヤ１２、ラッチ１３、第２ギヤ１４、アイドラＡギヤ１５及びアイドラＢギヤ１６を配設し、これらが配設されたケース１０をキャップ１７で封着しており、ケース１０の通孔１０ａ（図４（Ｂ）参照）、レバー１１の貫通孔１１ａ及びキャップ１７の通孔１７ａを上記操作軸６が貫通している。
【００１３】
詳細に説明すれば、レバー１１は、ケース１０の略中央で、且つ、ケース１０の内底面１０ｂからキャップ１７の裏面１７ｂに至る凹溝１８ａ，１８ｂ（図４（Ａ）参照）に沿ってスプリング１９に抗して摺動できるようになっており（例えば、図４（Ｂ）の状態から図５（Ｂ）の状態）、かかる摺動は、上述したケース１０の通孔１０ａ、レバー１１の貫通孔１１ａ及びキャップ１７の通孔１７ａを貫通し、その頭部が貫通孔１１ａの周縁１１ｂに係止する上記操作軸６に対し引っ張り操作を与えることにより、即ち、この操作軸６に連結されたハンドル８に対し引っ張り操作を与えることにより生じ、かかる引っ張り操作を解除すると、レバー１１は、スプリング１９の付勢力によって元の位置に復帰する（例えば、図５（Ｂ）の状態から図４（Ｂ）の状態）。更に、このレバー１１の両側面に、上記貫通孔１１ａの中心軸に関し点対称の位置に係合突設部１１ｃ，１１ｄ（図４、５参照）がそれぞれ設けられており、これらが第１ギヤ１２の係合突設部１２ａ及び第２ギヤ１４の係合突設部１４ａにそれぞれ係合する。
第１ギヤ１２は、上述のように、その係合突設部１２ａがレバー１１の係合突設部１１ｃに係合するように、レバー１１に近接するケース１０側の軸受２０及びキャップ１７側の軸受１７ｄに軸支されており、かかる軸上で、レバー１１の摺動に従ってその係合突設部１１ｃが上記係合突設部１２ａを押動するために、即ち、その係合突設部１１ｃの傾斜面に形成された扁平面１１ｅによって係合突設部１２ａが押動されるために回転運動する。この回転運動の回転範囲は、スプリング１９又は後述するスプリング２１の最大縮退量によるが、設計上の諸条件に拠っていずれかを適宜選択すればよい。そして、このような回転運動は、第１ギヤ１２の側面に凹設された嵌合口１２ｂに嵌合するシャフト４に伝達される。
【００１４】
また、ラッチ１３は、横部材と縦部材で構成されるコ字型部材に対し、更にその縦部材に上述した係合突体１３ａを突設させた形状をなし、ケース１０の内底面１０ｂにおいて、スプリング２１に抗してスライドできるように配設されている。かかるコ字型部材の一方の横部材には、第１ギヤ１２に噛合する第１ラックギヤ部１３ｂが、また、その他方の横部材には、アイドラＡギヤ１５に噛合する第２ラックギヤ部１３ｃが設けられており、また、これら横部材には上記スプリング２１が、係合突体１３ａをケース１０の開口部１０ｃから突出させるようにそれぞれ付勢して配設され、このとき、係合突体１３ａは上記係止突体９ａに係合して、扉５がロックされている態様をなす。
ところで、一方の横部材と他方の横部材とは、ラッチ１３の中心線に関し対称となるように配され、一方の横部材に設けられた第１ラックギヤ部１３ｂは、係合突体１３ａに近い基部に、また、他方の横部材に設けられた第２ラックギヤ部１３ｃは、係合突体１３ａから遠い端部、即ち、アイドラＢギヤ１６に近い部位に形成されている。
【００１５】
上記第２ギヤ１４は、第１ギヤ１２とレバー１１に関し対称となる部位に配され、上記第１ギヤ１２と同様に、その係合突設部１４ａがレバー１１の係合突設部１１ｄに係合するように、レバー１１に近接するケース１０側の軸受２２及びキャップ１７側の軸受（図示せず）に軸支されており、かかる軸上で、レバー１１の摺動に従ってその係合突設部１１ｄが上記係合突設部１４ａを押動するために、即ち、その係合突設部１１ｄの傾斜面に形成された扁平面（図示せず）によって係合突設部１４ａが押動されるために回転運動する。この回転運動の範囲は、上述と同様に、スプリング１９又はスプリング２１の最大縮退量によるが、設計上の諸条件に拠っていずれかを適宜選択すればよい。そして、このような回転運動は、第２ギヤ１４の側面に凹設された嵌合口１４ｂ（図４、５参照）に嵌合するシャフト４に伝達されるので、例えば、上記嵌合口１２ｂの代わりに、嵌合口１４ｂにシャフト４を嵌合させる使用態様であってもよい。しかも、この回転運動の回転方向は、係合突設部１４ａと上記係合突設部１２ａとが上記貫通孔１１ａの中心軸に関し点対称の位置にあり、これらの係合突設部１４ａ及び１２ａに基づいて生じる回転運動であるので、同一方向となる。そして、第２ギヤ１４の回転運動は、これに噛合するアイドラＡギヤ１５に伝達される。
【００１６】
このアイドラＡギヤ１５は、その回転軸が上記第２ギヤ１４の回転軸に平行をなし、ケース１０の軸受２３に回動自在に軸支され、上述したように第２ラックギヤ部１３ｃに噛合している。また、このアイドラＡギヤ１５には、第２ラックギヤ部１３ｃが噛合する歯形に加え、ピッチ面を円錐とする歯形が形成されている。かかる円錐歯形は、ケース１０側の軸受２４及びキャップ１７側の軸受１７ｅに回動自在に軸支されたアイドラＢギヤ１６の、それに形成されたピッチ面を円錐とする歯形に噛合し、両者の回転軸のなす角は直交しており（それぞれのピッチ円錐の母線と回転軸のなす角の和が９０度である）、アイドラＡギヤ１５の回転運動が、この回転軸に直交する回転軸を有するアイドラＢギヤ１６の回転運動に変換される。
この回転運動は、アイドラＢギヤ１６の側面に凹設された嵌合口１６ａに嵌合するシャフト４に伝達されるので、上述のように、例えば、上記嵌合口１２ｂ或いは１４ｂの代わりに、嵌合口１６ａにシャフト４を嵌合させる使用態様であってもよい。しかも、この回転運動の方向は、第２ギヤ１４の回転運動がアイドラＡギヤ１５を介して伝達される構成になっているために、第２ギヤ１４の回転方向と同一であり、したがって、第１ギヤ１２の回転方向とも同一である。
ところで、第１ギヤ１２及び第２ギヤ１４は、これらを構成する円筒部材の一部、即ち、係合突設部１２ａや１４ａが突設されているところが扇形状に切り欠かれている。これは、この種のギヤを射出成形する際の製造上の理由からであり、場合により、切り欠きのない円筒部材で構成するものであってもよいことはもちろんである。
尚、ケース１０の小孔１０ｄ及びキャップ１７の小孔１７ｃは、扉５の裏面５ａにビス等によって取り付けるために設けられたものである。
【００１７】
一方、上記ガイドユニット３は、図３に示すように、ＨＤケース３０内に、ＨＤレバー（第２摺動体）３１、カム体３２を配設し、これらが配設されたケース３０をＨＤキャップ３３で封着しており、ケース３０の通孔３０ａ（図６（Ｃ）参照）、レバー３１の貫通孔３１ａ及びキャップ３３の通孔３３ａを上記操作軸７が貫通している。
【００１８】
詳細に説明すれば、レバー３１は、ケース３０の内底面３０ｂ（図６（Ｃ）参照）からキャップ３３の裏面３３ｂに至る凹溝３４ａ，３４ｂに沿ってスプリング３５に抗して摺動できるようになっており（例えば、図６（Ｃ）のＭ状態からＮ状態）、かかる摺動は、上述したケース３０の通孔３０ａ、レバー３１の貫通孔３１ａ及びキャップ３３の通孔３３ａを貫通し、その頭部が貫通孔３１ａの周縁３１ｂに係止する上記操作軸７に対し引っ張り操作を与えることにより、即ち、この操作軸７に連結されたハンドル８に対し引っ張り操作を与えることにより生じ、かかる引っ張り操作を解除すると、レバー３１は、スプリング３５の付勢力によって元の位置に復帰する（例えば、図６（Ｃ）のＮ状態からＭ状態）。更に、このレバー３１の片側面に係合突設部３１ｃが設けられており、これがカム体３２の側面に設けられた係合突設部３２ａに係合する。
【００１９】
カム体３２は、上述のように、その係合突設部３２ａがレバー３１の係合突設部３１ｃに係合するように、レバー３１に近接するケース３０側の軸受３６及びキャップ３３側の軸受３３ｃに軸支されており、かかる軸上で、レバー３１の摺動に従ってその係合突設部３１ｃが上記係合突設部３２ａを押動するために、即ち、その係合突設部３１ｃの傾斜面に形成された扁平面３１ｄによって係合突設部３２ａが押動されるために回転運動する。この回転運動の回転範囲は、スプリング３５の最大縮退量によることは言うまでもない。また、このカム体３２のもう一方の側面に凹設された嵌合口３２ｂには、本体ユニット２に回転運動を伝達するシャフト４が嵌合するようになっている。
ところで、カム体３２は、これを構成する円筒部材の一部、即ち、係合突設部３２ａが突設されているところが扇形状に切り欠かれている。これは、この種のカム体３２を射出成形する際の製造上の理由からであり、場合により、切り欠きのない円筒部材で構成するものであってもよいことはもちろんである。
尚、ケース３０の２つの小孔３０ｃは、扉５の裏面５ａにビス等によって取り付けるために設けられたものである。
【００２０】
次に、このような装置１の使用態様について図４〜６を参照して説明する。
尚、図４はロックが形成された状態を示し、そのうちの同図（Ａ）は本体ユニット２内の構成図、同図（Ｂ）はそのＡ−Ａ断面図であり、図５は、ロックが解除された状態を示し、そのうちの同図（Ａ）は本体ユニット２内の構成図、同図（Ｂ）はそのＢ−Ｂ断面図である。また、図６（Ａ）はガイドユニット３の平面図、同図（Ｂ）はその正面図、同図（Ｃ）は同図（Ａ）のＣ−Ｃ断面図である。最初に、図１のように本体ユニット２における第１ギヤ１２の嵌合口１２ｂにシャフト４が嵌合されている場合（第１使用態様）について説明する。
係合突体１３ａが係止突体９ａに係合して扉５がロックされているとき、ロックを解除して扉５を開く場合には、ハンドル８を引っ張ると、本体ユニット２において、レバー１１はスプリング１９に抗して摺動し、第１ギヤ１２は、レバー１１の摺動に従ってその係合突設部１１ｃが第１ギヤ１２の係合突設部１２ａを押動するために、所定の角度だけ回転運動する。そして、第１ギヤ１２に噛合する第１ラックギヤ部１３ｂによってラッチ１３はスプリング２１に抗してスライドし、係合突体１３ａがケース１０内に後退するので、係合突体１３ａと係止突体９ａとで形成されていたロックが解除される。
一方、ハンドル８を引っ張ることにより、ガイドユニット３においても、レバー３１は、スプリング３５に抗して摺動し、カム体３２は、レバー３１の摺動に従ってその係合突設部３１ｃがカム体３２の係合突設部３２ａを押動するために、所定の角度だけ回転運動する。このとき、カム体３２の回転運動に第１ギヤ１２の回転運動がシャフト４を介して加わる態様をなす。即ち、レバー３１の摺動運動が回転運動に変換されるとともに、この回転運動に上記シャフト４から伝達される回転運動が加わり、上記操作によるレバー３１の摺動運動が本体ユニット２側から補助される態様をなす。
しかるに、レバー３１の摺動運動に応じてカム体３２がシャフト４に付与する回転運動もまた、本体コニット２に伝達される。したがって、本体ユニット２においても、第１ギヤ１２の回転運動にカム体３２の回転運動がシャフト４を介して加わる態様をなす。即ち、レバー１１の摺動運動が回転運動に変換されるとともに、この回転運動に上記シャフト４から伝達される回転運動が加わり、上記操作によるレバー１１の摺動運動がガイドユニット３側から補助される態様をなす。
このように、本体コニット２側からガイドユニット３側に動力が伝達されると同時に、ガイドユニット３側から本体ユニット２側に動力が伝達されることになるので、上述したロックの解除がスムーズな作動で行える。
【００２１】
また、上記ロックを形成する場合には、ハンドル８の引っ張り操作を解除してやると、レバー１１がスプリング１９の付勢力によって元の位置に復帰するとともに、係合突設部１１ｃと係合突設部１２ａとの係合が解除されるので、ラッチ１３はスプリング２１の付勢力によって元の位置に復帰し、係合突体１３ａがケース１０の開口部１０ｃから突出する。そして、係合突体１３ａを突出させたまま扉５を閉じると、係合突体１３ａの傾斜面が係止突体９ａの傾斜面に当接して、係合突体１３ａに対しこれをケース１０内に後退させる力が作用し、これにより係合突体１３ａが係止突体９ａを乗り越える態様をなすので、係合突体１３ａと係止突体９ａとによるロックが形成される。
一方、レバー３１はスプリング３５の付勢力によって元の位置に復帰していることは言うまでもない。
【００２２】
次に、本体ユニット２における第２ギヤ１４の嵌合口１４ｂにシャフト４が嵌合されている場合（第２使用態様）について説明する。この場合、シャフト４は、嵌合口１２ｂとレバー１１に関し対称となる嵌合口１４ｂに配設されることになる。
まず、ロックを解除して扉５を開く場合には、同様にしてハンドル８を引っ張ると、本体ユニット２において、レバー１１はスプリング１９に抗して摺動し、第２ギヤ１４は、レバー１１の摺動に従ってその係合突設部１１ｄが第２ギヤ１４の係合突設部１４ａを押動するために、所定の角度だけ回転運動する。そして、この回転運動は第２ギヤ１４に噛合するアイドラＡギヤ１５、更にアイドラＡギヤ１５に噛合する第２ラックギヤ部１３ｃに伝達される結果、ラッチ１３はスプリング２１に抗してスライドし、係合突体１３ａがケース１０内に後退するので、係合突体１３ａと係止突体９ａとで形成されていたロックが解除される。
一方、ガイドユニット３においては、第１使用態様の場合と同様な作動をし、動力伝達の際にも、本体コニット２側からガイドユニット３側に動力が伝達されると同時に、ガイドユニット３側から本体ユニット２側に動力が伝達されるので、スムーズなロック解除が行える。
また、ロックを形成する場合も、第１使用態様の場合に準じて行うことができる。
【００２３】
更に、アイドラＢギヤ１６の嵌合口１６ａにシャフト４が嵌合されている場合（第３使用態様）について説明する。この場合、シャフト４は、嵌合口１２ｂ及び１４ｂとは９０度をなす嵌合口１６ａに配設されることになる。
まず、ロックを解除して扉５を開く場合には、同様にしてハンドル８を引っ張ると、本体ユニット２において、レバー１１はスプリング１９に抗して摺動し、第２ギヤ１４は、レバー１１の摺動に従ってその係合突設部１１ｄが第２ギヤ１４の係合突設部１４ａを押動するために、所定の角度だけ回転運動し、かかる回転運動は、アイドラＡギヤ１５を介してアイドラＢギヤ１６の回転運動に変換され、第２ギヤ１４の回転運動が、これと直交するアイドラＢギヤ１６の回転運動に変換される。ところで、第２ギヤ１４の回転運動は、第２使用態様の場合と同様に、ラッチ１３をスライドさせ、これにより係合突体１３ａがケース１０内に後退するので、係合突体１３ａと係止突体９ａとで形成されていたロックが解除される。
一方、ガイドユニット３においては、第１及び２使用態様の場合と同様な作動し、動力伝達の際にも、本体コニット２側からガイドユニット３側に動力が伝達されると同時に、ガイドユニット３側から本体ユニット２側に動力が伝達されるので、スムーズなロック解除が行える。
また、ロックを形成する場合も、第１及び２使用態様の場合に準じて行うことができる。
【００２４】
これら第１〜３使用態様では、シャフト４が嵌合される位置はそれぞれ異なるにも拘わらず、シャフト４の回転方向は同一であるので、適宜にそのうちのいずれかの嵌合口を使用すればよく、しかも、上記係合突体とこれに係合する係止突体との配設位置は、ハンドルを縦使用としても、或いは横使用としても変更を要しないので、上記配設位置によってハンドル８の取付け方向に制約が課せられることはない。
【００２５】
ところで、上記装置１は、本体ユニット２の動力がシャフト４を介してガイドユニット３に伝達されると同時に、ガイドユニット３の動力がシャフト４を介して本体ユニット２に伝達される構成をなしていることに鑑み、図７のような使用態様とすることもできる。尚、図７において、図１の構成部材と同一のものについては同一符号を付し、その説明は割愛する。
この使用態様に係る装置４０は、ハンドル８を取り付ける代わりに、ガイドユニット３の操作軸７に摘み体４１を、また、本体ユニット２の操作軸６に盲蓋４２を取り付け、カム体３２の嵌合口３２ｂに嵌合されたシャフト４を第１ギヤ１２の嵌合口１２ｂに嵌合させてなるものである。
本装置４０において、ロックを解除して扉５を開く場合には、摘み体４１を引っ張ると、レバー３１は、スプリング３５に抗して摺動し、カム体３２は、レバー３１の摺動に従ってその係合突設部３１ｃがカム体３２の係合突設部３２ａを押動するために回転運動し、かかる回転に基づく動力がシャフト４を介して本体ユニット２に伝達される。本体ユニット２では、第１ギヤ１２がシャフト４から伝達される回転力によって回転運動する。すると、第１ギヤ１２に噛合する第１ラックギヤ部１３ｂによってラッチ１３はスプリング２１に抗してスライドし、係合突体１３ａがケース１０内に後退するので、係合突体１３ａと係止突体９ａとで形成されていたロックが解除される。
また、上記ロックを形成する場合には、摘み体４１の引っ張り操作を解除してやると、レバー３１がスプリング３５の付勢力によって元の位置に復帰する際、係合突設部３１ｃと係合突設部３２ａとの係合が解除されるので、第１ギヤ１２に上記動力が伝達されなくなり、したがって、第１ギヤ１２に噛合するラッチ１３はスプリング２１の付勢力によって元の位置に復帰し、係合突体１３ａがケース１０の開口部１０ｃから突出する。そして、係合突体１３ａを突出させたまま扉５を閉じると、係合突体１３ａの傾斜面が係止突体９ａの傾斜面に当接して、係合突体１３ａに対しこれをケース１０内に後退させる力が作用し、これにより係合突体１３ａが係止突体９ａを乗り越える態様をなすので、係合突体１３ａと係止突体９ａとによるロックが形成される。尚、このような使用態様で使用する限りでは、本体ユニット２のレバー１１は不要であることは言うまでもない。
このような使用態様は、ハンドル８の代わりに摘み体４１を使用する場合であって、とりわけ、係合突体１３ａと係止突体９ａとの配設位置が所要の限定されたところに制約される場合等に有効である。
【００２６】
また、カム体３２の嵌合口３２ｂにシャフト４を嵌合させる代わりに、かかるシャフト４を、第２ギヤ１４の嵌合口１４ｂに嵌合させる使用態様でも、或いはまた、アイドラＢギヤの嵌合口１６ａに嵌合させる使用態様でもよいことはもちろんであり、これにより上述のような配設位置が制約される場合には更に有効である。
【００２７】
尚、上記装置１は、本体ユニット２からのみ構成されるようにしたものでもよく、その操作軸６に摘み体を取り付け、摘み体の引っ張り操作、及びその解除操作に応じて上述のロックが解除されたり、形成されたりするようにしてもよいことは言うまでもない。
【００２８】
【発明の効果】
本発明の扉の把手装置によれば、ハンドル等の把手の取付位置に制約を受けずに、且つ、スムーズな作動でロックの形成や解除を行うことができる。
また、本発明の扉の把手装置によれば、上記効果に加え、把手の取付方向に制約を受けることがない。
【図面の簡単な説明】
【図１】  本実施の形態に係る扉の把手装置の外観図である。
【図２】  図１の本体ユニットの分解斜視図である。
【図３】  図１のガイドユニットの分解斜視図である。
【図４】  本装置の本体ユニットについてロックが形成された状態を示す説明図である。
【図５】  本装置の本体ユニットについてロックが解除された状態を示す説明図である。
【図６】  本装置のガイドユニットについてその動作の説明図である。
【図７】  他の実施の形態に係る扉の把手装置の外観図である。
【図８】  従来の扉の把手装置の外観図である。
【図９】  従来装置の本体ユニットについてロックが形成された状態を示す説明図である。
【図１０】  従来装置の本体ユニットについてロックが解除された状態を示す説明図である。
【符号の説明】
１            扉の把手装置
２            本体ユニット（第１ユニット）
３            ガイドユニット（第２ユニット）
４            シャフト
５            扉
８            摘みハンドル（把手）
１１          レバー（第１摺動体）
１２          第１ギヤ
１２ａ        係合突設部
１２ｂ        嵌合口
１３          ラッチ
１３ａ        係合突体
１３ｂ        第１ラックギヤ部
１３ｃ        第２ラックギヤ部
１４          第２ギヤ
１４ｂ        嵌合口
１５          アイドラＡギヤ
１６          アイドラＢギヤ
１６ａ        嵌合口
３１          ＨＤレバー（第２摺動体）
３２          カム体
３２ａ        係合突設部
３２ｂ        嵌合口
【図１】
0003660487.tif 000002
【図２】
0003660487.tif 000003
【図３】
0003660487.tif 000004
【図４】
0003660487.tif 000005
【図５】
0003660487.tif 000006
【図６】
0003660487.tif 000007
【図７】
0003660487.tif 000008
【図８】
0003660487.tif 000009
【図９】
0003660487.tif 000010
【図１０】
0003660487.tif 000011